(57)【要約】      （修正有）【課題】巻き取ったホース、ケーブル、ロープ、ワイヤー等の紐状物を容易に離脱させることができ、また、巻き取りドラムと他の部材を容易に分解することができるなど、取り扱いの便利な巻き取り装置を提供する。【解決手段】巻き取り装置は、巻き取りドラム１と、巻き取りドラム１を回転可能に支持する支持体２と、巻き取りドラム１を回転させるためのハンドル３を有し、巻き取りドラム１は、紐状物を巻回できるようにした軸筒４と、軸筒４の両側に設けられた軸筒４より径の大きな側板５，６からなり、軸筒４をテーパー状としている。また、巻き取りドラム１を、持ち上げることにより支持体２から分離できるようにし、さらに、ハンドル３を所定の方向に回転させて螺着状態を解除することにより、分離できるようにしたものとする。【選択図】図１
0003141584.tif 000002
【実用新案登録請求の範囲】
【請求項１】
巻き取りドラム（１）と、巻き取りドラム（１）を回転可能に支持する支持体（２）と、巻き取りドラム（１）を回転させるためのハンドル（３）を有する巻き取り装置であって、巻き取りドラム（１）は、紐状物を巻回できるようにした軸筒（４）と、軸筒（４）の両側に設けられた軸筒（４）より径の大きな側板（５）（６）からなり、前記軸筒（４）をテーパー状としていることを特徴とする巻き取り装置。
【請求項２】
巻き取りドラム（１）が、両側の側板（５）（６）の外方に突出する突出軸部（１１）（１２）を有し、前記突出軸部（１１）（１２）は支持体（２）に設けた上方に開放したＵ字状軸受け（１６）（１７）に支持され、持ち上げることにより支持体（２）から分離できるようにしており、さらに、いずれかの側の突出軸部（１１）（１２）が、軸筒（４）に対して螺着されたものであって、ハンドル（３）と一体に構成されており、ハンドル（３）を所定の方向に回転させて螺着状態を解除することにより、軸筒（４）からハンドル（３）とともに分離できるようにしている請求項１記載の巻き取り装置。
【請求項３】
両側の側板（５）（６）間に、テーパー状の軸筒（４）を内包する態様で、円筒状軸筒（２５）を取り付けられるようにしている請求項１又は２記載の巻き取り装置。
【考案の詳細な説明】
【技術分野】
【０００１】
この考案は、ホース、ケーブル、ロープ、ワイヤー等各種の紐状物用の巻き取り装置に関するものである。
【背景技術】
【０００２】
従来、農業や一般家庭での散水のために使用される巻取り装置としては、特許文献１に記載のような、左右一対のフレームにより構成された本体と、本体の左右のフレーム間に回転自在に支持された巻き取りドラムと、フレームの一方側から貫通して巻き取りドラムに連結され、巻き取りドラムを回転操作する操作ハンドルとを備えたホースリールがある。
【０００３】
この種の従来のホースリールは、ホースを巻き取りドラムの軸部分に巻き取ることができるので、ホースの収納や運搬が便利になるものであるが、前記軸部分は太さに変化のない円筒状のものであるため、強固に巻き付いた状態のホースを離脱させることは容易ではなかった。
【０００４】
また、巻き取りドラムと他の部材は、容易に分解できるような構成になっていないため、収納や運搬が容易ではなかった。
【特許文献１】登録実用新案第３００４３８１号公報
【考案の開示】
【考案が解決しようとする課題】
【０００５】
そこで、この考案は、巻き取ったホース、ケーブル、ロープ、ワイヤー等の紐状物を容易に離脱させることができ、また、巻き取りドラムと他の部材を容易に分解することができるなど、取り扱いの便利な巻き取り装置を提供することを課題とする。
【課題を解決するための手段】
【０００６】
この考案の巻き取り装置は、巻き取りドラム１と、巻き取りドラム１を回転可能に支持する支持体２と、巻き取りドラム１を回転させるためのハンドル３を有し、巻き取りドラム１は、紐状物を巻回できるようにした軸筒４と、軸筒４の両側に設けられた軸筒４より径の大きな側板５，６からなり、前記軸筒４をテーパー状としている。
【０００７】
また、巻き取りドラム１が、両側の側板５，６の外方に突出する突出軸部１１，１２を有し、前記突出軸部１１，１２は支持体２に設けた上方に開放したＵ字状軸受け１６，１７に支持され、持ち上げることにより支持体２から分離できるようにしており、さらに、いずれかの側の突出軸部１１，１２が、軸筒４に対して螺着されたものであって、ハンドル３と一体に構成されており、ハンドル３を所定の方向に回転させて螺着状態を解除することにより、軸筒４からハンドル３とともに分離できるようにしたものとすることができる。
【０００８】
さらに、両側の側板５，６間に、テーパー状の軸筒４を内包する態様で、円筒状軸筒２５を取り付けられるようにしたものとすることもできる。
【考案の効果】
【０００９】
この考案の巻き取り装置は、上述のような構成を有しており、巻き取りドラム１の軸筒４がテーパー状であるため、これに巻き付いた紐状物を、軸筒４の径の小さい側へずらすことにより、容易に離脱させることができる。
【００１０】
また、巻き取りドラム１が、両側の側板５，６の外方に突出する突出軸部１１，１２を有し、前記突出軸部１１，１２は支持体２に設けた上方に開放したＵ字状軸受け１６，１７に支持されており、持ち上げることにより支持体２から分離できるようにしており、さらに、いずれかの側の突出軸部１１，１２が、軸筒４に対して螺着されたものであって、ハンドル３と一体に構成されており、ハンドル３を所定の方向に回転させて螺着状態を解除することにより、軸筒４からハンドル３とともに分離できるようにしたものとすれば、巻き取りドラム１と他の部材を容易に分解することができる。
【００１１】
さらに、両側の側板５，６間に、テーパー状の軸筒４を内包する態様で、円筒状軸筒２５を取り付けられるようにすれば、この円筒状軸筒２５に紐状物を巻き取り、そして、紐状物が巻き付いた状態の円筒状軸筒２５を取り外して、運搬、収納することができる。
【考案を実施するための最良の形態】
【００１２】
以下、この考案の好適な実施形態を、図面を参照して説明する。
【００１３】
図１はこの考案の実施形態の巻き取り装置の斜視図、図２は巻き取りドラム１の縦断面図、図３は支持体２の右側面図、図４は巻き取りドラム１の右側の側板６を外した状態の縦断面図、図５は巻き取りドラム１の左側面図、図６は巻き取りドラム１の右側の側板６の背面図、図７は巻き取りドラム１を持ち上げて支持体２から分離した状態の斜視図である。
【００１４】
この巻き取り装置は、巻き取りドラム１と、巻き取りドラム１を回転可能に支持する支持体２と、巻き取りドラム１を回転させるためのハンドル３を有するものである。巻き取りドラム１は、紐状物を巻回できるようにした軸筒４と、軸筒４の両側に設けられた軸筒４より径の大きな側板５，６からなり、前記軸筒４をテーパー状としている。
【００１５】
巻き取りドラム１は、金属等硬質な材料で形成されたものであり、軸筒４や側板５，６は、使用目的に応じて適宜の大きさとすることができる。軸筒４は、一端側（図２においては左端側）から他端側に向かって細くなるようにしたテーパー筒状としている。この実施形態では、軸筒４は、断面六角形としているが、円錐パイプのような断面円形や、その他三角形、四角形、五角形等の多角形の断面形状を有するものとしてもよい。
【００１６】
軸筒４の一方の側（図２中左側）の端部は開口しており、他方の側の端部は蓋部７が設けられている。蓋部７は円板状であって、その中央に軸方向（図２の左右方向）に貫通した筒状部分８を内方に突出する態様で有し、この筒状部分８の内周面に雌螺子を形成している。
【００１７】
側板５，６は、軸筒４の断面径より大きな円板状であり、軸筒４の両端に設けられることにより、紐状物が巻き取られる範囲を制限する。紐状物は、ホース、ケーブル、ロープ、ワイヤー等各種のものとすることができる。
【００１８】
一方の側の側板５（図２中左側）は、図示しないが、その内面に軸筒４の一方の端部周縁と嵌合する凸部を設け、ビス等により軸筒４の一方の端部周縁が固定されるようにしている。他方の側の側板６（図２中右側）も、同様に軸筒４の他方の端部周縁が固定されるようにしている。他方の側の側板６には、中心部分の外側に円形の補助板９が設けられており、この側板６と補助板９には、その中心を通り前記筒状部分８に連続する孔１０が設けられている。
【００１９】
また、両側の側板５，６は、外方に突出する突出軸部１１，１２を有している。この実施形態では、一方の側の側板５の外面に設けた軸方向に突出する軸部と円板状部からなる部分、並びに他方の側の側板６における前記筒状部分８の雌螺子に螺合するハンドル３の一部を、それぞれ突出軸部１１，１２としている。
【００２０】
支持体２は、金属等硬質な材料で形成されたものであり、図１、図３に示したように、左右一対の三角状フレーム１３，１４と、両三角状フレーム１３，１４間の連結フレーム１５と、各三角状フレーム１３，１４の頂部に設けられた上方に開放したＵ字状軸受け１６，１７と、各三角状フレーム１３，１４の底辺の各端付近に設けられた上下方向の高さ調整ネジ１８，１９，２０，２１からなる。
【００２１】
ハンドル３は、金属等硬質な材料で形成されたものであり、図１、図２に示したように、前記他方の側の側板６における孔１０を通って筒状部分８の雌螺子に螺合する先端部を備え外方に突出する部分（突出軸部１２）、前記他方の側の側板６と平行に延びるアーム部分２２、及びアーム部分２２の外端部から外方に延びる握り部分２３からなる。
【００２２】
この巻き取り装置は、上述の通り、前記軸筒４をテーパー状としているため、軸筒４に紐状物が強固に巻き付いていても、図１の右側の側板６を取り外した状態にし、紐状物を、少し力を加えて軸筒４の径の小さい側へずらすことにより、容易に離脱させることができる。その際には、左側の側板５の中心部周辺の孔２４から指や棒状のものを入れて、紐状物を押し出すことできる。
【００２３】
合成樹脂製のホースのような紐状物は、軸筒４に長期間巻回したままにしておくと、接着して固まった状態になったり、亀裂が発生したりするため、従来の巻き取り装置では容易に離脱させることができなかったが、この巻き取り装置では、極めて容易かつ短時間に紐状物を離脱させることができ、しかも離脱作業時に紐状物が傷みにくいので、紐状物を再利用し易くなる。
【００２４】
また、この巻き取り装置においては、巻き取りドラム１は、その両側の突出軸部１１，１２が、支持体２の各Ｕ字状軸受け１６，１７に支持されるようにした構成であるため、持ち上げることにより、図７に示したように、簡単に支持体２から分離することができる。
【００２５】
さらに、ハンドル３を所定の方向に回転させて前記他方の側の突出軸部１２と前記筒状部分８の雌螺子との螺着状態を解除することにより、ハンドル３を簡単に分離することもできる。なお、紐状物を巻き取る場合においては、前記螺着状態を解除する場合とは逆方向にハンドル３を回転するようにして使用するとよい。
【００２６】
このように、この巻き取り装置は、容易に分解できるような構成になっており、収納や運搬も極めて容易である。
【００２７】
この巻き取り装置は、農業、特にしょうが畑や、砂糖畑、ビニールハウス等での作業に有用である。すなわち、複数の畝や畦にそれぞれ散水用のホース等の紐状物を配置しておき、この巻き取り装置を使用して、当該紐状物を巻き取ったり、巻き取りドラム１から離脱させて再度利用できる状態にして元の場所に戻すことも容易であり、さらに、複数箇所に支持体２を設置しておき、巻き取りドラム１のみを運搬して利用することも可能なので、作業者の肉体的負担を軽減し、腰痛や肩こりなどを防止することができる。
【００２８】
例えば、畦が複数列ある場合、水、薬、液肥等を散布するため、従来は各畦ごとに巻き取り装置を必要としていたが、この考案の巻き取り装置の場合は、各畦には支持体２のみを設置しておき、１つまたは比較的少ない数の巻き取りドラム１を運搬して各支持体２に連結、分離して使用することができる。したがって、液肥の後に水を散布するような場合、液肥用のホースを巻回した巻き取りドラム１を支持体２に連結して使用した後、当該ドラムを水用のホースを巻回した巻き取りドラム１に交換するだけでよい。
【００２９】
また、各箇所に配置される紐状物は、何らかの識別票を付すことにより、その箇所ごとに必要な水や薬の量、時期を把握できるようになり、温度の管理等も容易となる。
【００３０】
さらに、この巻き取り装置は、図８に示したように、巻き取りドラム１の両側の側板５，６間に、テーパー状の軸筒４を内包する態様で、テーパー状ではない円筒状軸筒２５を取り付けられるようにしたものとすることができる。円筒状軸筒２５は、他端（図８中右端）に切り込みを設けたものとし、右側の側板６の内面（背面）に設けた突状２６にこれを嵌合させるようにするとよい。この場合は、紐状物を円筒状軸筒２５に巻回した状態にし、この円筒状軸筒２５を巻き取りドラム１から取り外して、運搬及び収納することができる。
【００３１】
以上がこの考案の好適な実施形態であるが、この考案は上述の実施形態の構成に限定されるものではなく、素材、形状、寸法等を適宜変更して実施することができる。
【図面の簡単な説明】
【００３２】
【図１】この考案の実施形態の巻き取り装置の斜視図である。
【図２】この考案の実施形態の巻き取り装置の巻き取りドラムの縦断面図である。
【図３】この考案の実施形態の巻き取り装置の支持体の右側面図である。
【図４】この考案の実施形態の巻き取り装置の巻き取りドラムの右側の側板を外した状態の縦断面図である。
【図５】この考案の実施形態の巻き取り装置の巻き取りドラムの左側面図である。
【図６】この考案の実施形態の巻き取り装置の巻き取りドラムの右側の側板の背面図である。
【図７】この考案の実施形態の巻き取り装置の巻き取りドラムを持ち上げて支持体から分離した状態の斜視図である。
【図８】この考案の実施形態の巻き取り装置の巻き取りドラムの両側の側板間に円筒状軸筒を取り付けた場合の巻き取りドラムの縦断面図である。
【符号の説明】
【００３３】
１  巻き取りドラム
２  支持体
３  ハンドル
４  軸筒
５，６  側板
１１，１２  突出軸部
１６，１７  Ｕ字状軸受け
２５  円筒状軸筒
【図１】
0003141584.tif 000003
【図２】
0003141584.tif 000004
【図３】
0003141584.tif 000005
【図４】
0003141584.tif 000006
【図５】
0003141584.tif 000007
【図６】
0003141584.tif 000008
【図７】
0003141584.tif 000009
【図８】
0003141584.tif 000010